(57)【要約】【課題】  新たに常時換気設定専用スイッチを設けることなく、安価かつ最小限のスペースで常時換気設定を容易に行なうことができる空気調和機を得ること。【解決手段】  この発明に係る空気調和機は、室内空気を換気する機能を備えた空気調和機において、屋内に設置される室内機と、この室内機に設けられた当該空気調和機の運転状態を切替える第一のスイッチとを備え、第一のスイッチの切替えにより常時換気が選択された状態で、第一のスイッチの入力がないまま所定時間経過した場合は、常時換気モードが確定されることを特徴とする。【選択図】        図１
2006226643.tif 000002
【特許請求の範囲】
【請求項１】
室内空気を換気する機能を備えた空気調和機において、
屋内に設置される室内機と、
この室内機に設けられた当該空気調和機の運転状態を切替える第一のスイッチとを備え、前記第一のスイッチの切替えにより常時換気が選択された状態で、該第一のスイッチの入力がないまま所定時間経過した場合は、常時換気モードが確定されることを特徴とする空気調和機。
【請求項２】
前記第一のスイッチとは別の第二のスイッチを備え、前記常時換気モードが確定された状態では、前記第二のスイッチにより、該常時換気モードの種類を切替えることを特徴とする請求項１記載の空気調和機。
【請求項３】
前記室内機は、当該空気調和機の運転状態を使用者に知らせる表示部を備え、該表示部により使用者に常時換気モードの種類を知らせることを特徴とする請求項１又は請求項２記載の空気調和機。
【請求項４】
前記表示部はＬＥＤ（発光ダイオード）を備え、該ＬＥＤの表示個数によって常時換気モードの種類を表示することを特徴とする請求項３記載の空気調和機。
【請求項５】
前記表示部はＬＥＤを備え、該ＬＥＤの点灯色によって常時換気モードの種類を表示することを特徴とする請求項３記載の空気調和機。
【請求項６】
前記表示部はＬＥＤを備え、該ＬＥＤの表示個数及び点灯色の組み合わせによって常時換気モードの種類を表示することを特徴とする請求項３記載の空気調和機。
【請求項７】
前記室内機に音発生装置を備え、前記常時換気モード選択設定の際に、前記音発生装置による音の違いによって、常時換気モードの種類を使用者に知らせることを特徴とする請求項１又は請求項２記載の空気調和機。
【請求項８】
室内空気を換気する機能を備えた空気調和機において、
屋内に設置される室内機と、
この室内機に設けられた当該空気調和機の運転状態を切替える第一のスイッチと、
常時換気設定を専用に行う常時換気設定専用スイッチ又は前記第一のスイッチとは別の第二のスイッチとを備え、前記常時換気設定専用スイッチ又は前記第二のスイッチを用いて常時換気設定モードに移行させ、前記第一のスイッチにより常時換気モードの種類を切替えることを特徴とする空気調和機。
【発明の詳細な説明】
【技術分野】
【０００１】
この発明は、換気機能を備えた空気調和機に関するものである。
【背景技術】
【０００２】
室内を空調する空気調和機は、冷凍サイクル中を循環される冷媒が室内ユニットに設けている熱交換器を通過する時に、室内へ空調風として吹きだす空気との間で熱交換を行なう。換気機能付空気調和機は、室内を空調する機能に加えて、室内ユニットに備えられた換気ファンによって室内空気を給排換気する機能を有しており、空調及び換気は各々駆動元が異なるために単独で運転することが可能である。したがって、室内に滞留しがちな塵埃、二酸化炭素、有害ガス、高濃度臭気等の室内空気汚染物質を室外に強制的に排気してきれいにする等の換気需要に応えることが可能である。換気ファンを連続的に運転（以下、常時換気）することで、建材や家具から定常的に発生する揮発性有機化合物の滞留を抑制したり、建築基準法に定められた第三種換気設備として空気調和機を使用することが可能となる。
【０００３】
従来の空気調和機は、常時換気のように通常の空調運転時には切り替える必要がない運転（例えば、試運転モード）を行なうために、リモコンに設けられたボタン（スイッチ）のうち予め定められた複数のボタンの重複操作によって生成された信号を利用しているものもある（例えば、特許文献１参照）。
【０００４】
また、常時換気設定をする際に室内ユニットに備えられたスライド式常時換気設定専用スイッチを使用しているものもある（例えば、非特許文献１参照。）。
【特許文献１】特開２０００−２２７２４５号公報
【非特許文献１】東芝キャリア（株）発行エアコン総合カタログ、２００４年９月１日、１２頁。
【発明の開示】
【発明が解決しようとする課題】
【０００５】
従来の空気調和機は、スライド式常時換気設定専用スイッチを使用していたため、搭載費用または設置スペース確保等の問題点があった。加えて、スライド式常時換気設定専用スイッチのみでは複数の常時換気モードの設定を行なうことができなかった。
【０００６】
また、常時換気はユーザー自身の手によって設定される必要があるが、リモコンに設けられた複数のボタンの重複操作によって生成された信号を利用する場合、搭載費用または設置スペース確保の必要はないが、ユーザー自身が設定し難い、誤操作を招く等の問題点があった。
【０００７】
この発明は、上記のような問題点を解決するためになされたもので、第１の目的は新たに常時換気設定専用スイッチを設けることなく、安価かつ最小限のスペースで常時換気設定を容易に行なうことができる空気調和機を得ることである。
【０００８】
また、第２の目的は新たに常時換気設定専用スイッチを設けることなく、複数の常時換気モードの設定を容易に行なうことができる空気調和機を得ることである。
【課題を解決するための手段】
【０００９】
この発明に係る空気調和機は、室内空気を換気する機能を備えた空気調和機において、屋内に設置される室内機と、この室内機に設けられた当該空気調和機の運転状態を切替える第一のスイッチとを備え、第一のスイッチの切替えにより常時換気が選択された状態で、第一のスイッチの入力がないまま所定時間経過した場合は、常時換気モードが確定されることを特徴とする。
【発明の効果】
【００１０】
この発明に係る空気調和機は、上記構成により、新たに常時換気設定専用スイッチを設けることなく、安価かつ最小限のスペースでしかも誤操作することなく常時換気設定を行なうことができるという効果を有する。
【発明を実施するための最良の形態】
【００１１】
実施の形態１．
図１〜９は実施の形態１を示す図で、図１は空気調和機の室内機の正面図、図２は空気調和機の室内機の要部拡大図、図３は空気調和機の室内機の斜視図、図４は空気清浄装置の概念図、図５応急運転スイッチの切替概念図、図６は換気複数モード設定の切替概念図、図７は常時換気モードの内容を示す図、図８はＬＥＤ（発光ダイオード）表示部を示す図、図９はＬＥＤ表示方法を示す図である。
【００１２】
図において、室内ユニット１の正面の右面には応急運転機能スイッチ５（第一のスイッチの一例）、お掃除リセットスイッチ６（第二のスイッチの一例）が、左面には換気ファン３が設けられている。応急運転機能スイッチ５は、応急冷房７、応急暖房８、常時換気９、停止１０の各々の運転を行なうスイッチとなっている（図５参照）。
【００１３】
室内ユニット１は、図３に示すように、内部に空気清浄装置２０を備える。空気清浄装置２０は、図４に示すような構成であり、放電電極２３、触媒フィルタ２４、接地電極２５を有し、触媒フィルタ２４に有害ガスや悪臭を吸着して捕まえ、そこに放電電極２３と接地電極２５との間で発生するプラズマ放電をあてることで分解する。
【００１４】
お掃除リセットスイッチ６は、例えば、プレフィルターもしくは空気清浄装置のメンテナンス時期をユーザーに知らせるサインを初期化するスイッチであり、応急運転機能スイッチ５が常時換気９の状態にある時には、本来の目的とは異なり常時換気モードの種類を選択する切替スイッチとなる。
【００１５】
また、室内ユニット１の右下面には選択されている常時換気モードを視認するためのＬＥＤ表示部１１（表示部の一例）を備えている。表示部は、ＬＥＤでなくてもよい。
【００１６】
次に動作について説明する。
このように構成された室内ユニット１（室内機とも言う）においては、応急運転機能スイッチ５を押すごとに、応急冷房７→応急暖房８→常時換気９→停止１０→応急冷房７・・と運転状態を切替えながらこれを繰り返す。応急運転機能スイッチ５の入力がないまま常時換気９の状態がＡ秒間経過すると選択している常時換気モードが確定される。従って、応急運転機能スイッチ５を利用しているので、新たに常時換気設定専用スイッチを設ける必要がなく、安価かつ最小限のスペースで常時換気設定を行なうことができる。また、リモコン４の複数のボタンによる複雑な重複操作を必要としないため、ユーザーの誤設定を防止することができる。
【００１７】
また、応急運転機能スイッチ５が常時換気９の状態にある時には、常時換気モード選択へと移行する。この時、ＬＥＤ表示部１１を点滅または点灯させることでユーザーに常時換気モード選択状態にあることを知らせる。常時換気モード選択状態では、応急運転機能スイッチ５とは異なるお掃除リセットスイッチ６を押すごとに常時換気モードＦ１→Ｆ２→Ｆ３→Ｆ４→Ｆ１・・と運転状態を切替えながらこれを繰り返す。
【００１８】
常時換気モードＦ１、Ｆ２、Ｆ３、Ｆ４の内容は、例えば図７に示すようなものである。換気ファン３の高回転および低回転と、空気清浄装置２０の運転および停止との組み合わせである。
【００１９】
お掃除リセットスイッチ６の入力がないままＡ秒間経過すると選択している常時換気モードが確定される。この時、図９のように選択している常時換気モードによってＬＥＤ表示部１１のＬＥＤ表示個数を変化させることで視覚的に確認することができる。
【００２０】
また、室内ユニット１に音発生装置を設け、選択している常時換気モードによって音発生装置のブザー音を変化させることで聴覚的にも確認することができる。
【００２１】
従って、室内ユニット１に設置された応急運転機能スイッチ５を用いて常時換気設定モードに移行させ、お掃除リセットスイッチ６を用いて複数の常時換気モード設定を行なうことができるようにしているので、新たに常時換気専用のスイッチを設ける必要がなく、安価かつ最小限のスペースで複数の常時換気設定を容易に行なうことができる。
【００２２】
実施の形態２．
以上の実施の形態１では、選択している常時換気モードをＬＥＤの表示個数によって視覚的に確認するようにしたものであるが、次にＬＥＤの搭載個数が選択可能な常時換気モードと比較して少ない場合に選択している常時換気モードを視覚的に確認する実施の形態２を説明する。
【００２３】
図１０、１１は実施の形態２を示す図で、図１０はＬＥＤ表示部を示す図、図１１はＬＥＤの表示方法を示す図である。実施の形態１では、選択している常時換気モードをＬＥＤの表示個数によって視覚的に確認するようにしたものであるが、ＬＥＤ表示部１２のＬＥＤ点灯色を変化させることで、搭載ＬＥＤ数が少ない場合にも視覚的に確認することができる。
【００２４】
また、ＬＥＤの表示個数と点灯色を組み合わせて表示させてもよい。
【００２５】
また、ＬＥＤを使用しなくともＦ１、Ｆ２・・とデジタル表示させてもよい。
【００２６】
以上のように、室内ユニット１に設けられたＬＥＤの表示個数または点灯色を変化させる、またはデジタル表示させることで実施の形態１記載の選択している常時換気モードを視覚的に確認することが可能となる。
【００２７】
実施の形態３．
以上の実施の形態１，２では、応急運転機能スイッチ５を用いて常時換気設定モードに移行させ、常時換気とは目的が異なるお掃除リセットスイッチ６を用いて複数の常時換気モード設定を行なうことができるようにしているものであるが、逆に応急運転機能スイッチ５とは異なるスイッチを用いて常時換気設定モードに移行させ、応急運転機能スイッチ５を用いることで複数の常時換気モード設定を行なう実施の形態３を説明する。
【００２８】
図１２、１３は実施の形態３を示す図で、図１２は常時換気モード設定の切替概念図、図１３は常時換気設定専用スイッチが室内ユニットに設けられている場合の要部拡大部である。
【００２９】
実施の形態３では、常時換気設定専用スイッチ１３または常時換気とは目的が異なるお掃除リセットスイッチ６６を用いて常時換気設定モードに移行させ、応急運転機能スイッチ５を繰り返し押すことで複数の常時換気モード設定を選択することが可能である。応急運転機能スイッチ５の入力がない状態がＡ秒間経過すると選択している常時換気モードが確定される。
【００３０】
従って、室内ユニット１に設けられた応急運転機能スイッチ５を用いて安価かつ最小限のスペースで複数の常時換気モード設定を行なうことができる空気調和機を得ることができる。
【図面の簡単な説明】
【００３１】
【図１】実施の形態１を示す図で、空気調和機の室内機の正面図である。
【図２】実施の形態１を示す図で、空気調和機の室内機の要部拡大図である。
【図３】実施の形態１を示す図で、空気調和機の室内機の斜視図である。
【図４】実施の形態１を示す図で、空気清浄装置の概念図である。
【図５】実施の形態１を示す図で、応急運転スイッチの切替概念図である。
【図６】実施の形態１を示す図で、換気複数モード設定の切替概念図である。
【図７】実施の形態１を示す図で、常時換気モードの内容を示す図である。
【図８】実施の形態１を示す図で、ＬＥＤ表示部を示す図である。
【図９】実施の形態１を示す図で、ＬＥＤ表示方法を示す図である。
【図１０】実施の形態２を示す図で、ＬＥＤ表示部を示す図である。
【図１１】実施の形態２を示す図で、ＬＥＤの表示方法を示す図である。
【図１２】実施の形態３を示す図で、常時換気モード設定の切替概念図である。
【図１３】実施の形態３を示す図で、常時換気設定専用スイッチが室内ユニットに設けられている場合の要部拡大部である。
【符号の説明】
【００３２】
１  室内ユニット、２  熱交換器、３  換気ファン、４  リモコン、５  応急運転機能スイッチ、６  お掃除リセットスイッチ、７  応急冷房、８  応急暖房、９  常時換気、１０  停止、１１，１２  ＬＥＤ表示部、１３  常時換気設定専用スイッチ、１４  換気ホース、１５  吹きだし口、１７  受光部、２０  空気清浄装置、２３  放電電極、２４  触媒フィルタ、２５  接地電極。
【図１】
2006226643.tif 000003
【図２】
2006226643.tif 000004
【図３】
2006226643.tif 000005
【図４】
2006226643.tif 000006
【図５】
2006226643.tif 000007
【図６】
2006226643.tif 000008
【図７】
2006226643.tif 000009
【図８】
2006226643.tif 000010
【図９】
2006226643.tif 000011
【図１０】
2006226643.tif 000012
【図１１】
2006226643.tif 000013
【図１２】
2006226643.tif 000014
【図１３】
2006226643.tif 000015